【事件の表示】
　平成１０年特許願第４５９２６号「基板検査装置」拒絶査定に対する審判事件［平成１１年９月１７日出願公開、特開平１１−２４８７７６］について、次のとおり審決する。
【結　論】
　本件審判の請求は、成り立たない。
【理　由】
１．本願は、平成１０年２月２６日の出願であって、「基板検査装置」に関するものと認められる。
　これに対し、平成１４年５月１７日付けで拒絶理由を通知し、期間を指定して意見書を提出する機会を与えたが、請求人からは何らの応答もない。
　
２．上記拒絶理由は以下のとおりである。
−−−−−−−−−−−−−−−−−−−−−−−−−−−−−−−−−−
　　　　　　　　　　　　　　 理　由
　
１．手続の経緯・本願発明
　この出願は、平成１０年２月２６日の出願であって、その請求項１乃至３に係る発明は、平成１１年１月２５日付け手続補正書で補正された明細書及び出願当初の図面の記載からみて、特許請求の範囲の請求項１乃至３に記載された事項により特定される次のとおりのものと認める。
　なお、本願については、平成１１年１２月１日付けの補正は、平成１４年５月２日に却下された。
　
「【請求項１】プリント基板などの被試験体を装着すると共に該被試験体に正確に信号を注入して回路動作条件を構築するためのフィクスチャー部と、被試験体からの回路動作結果を接続部材を介して出力する各種のテスト部とから構成されてなる基板検査装置であって、
　前記各種のテスト部がケース内に一括して収納されてなると共に前記接続部材が前記フィクスチャー部に対向する位置の該ケースに配設されてなることを特徴とする基板検査装置。
 【請求項２】　請求項１に記載の基板検査装置であって、
　前記フィクスチャー部は、接続部材に接続した第１ピンボードと、該第１ピンボードに対向した位置に配されてなる第２ピンボードとを有し、何れか一方にコネクタを有し、他方に該コネクタに前記ピンボードの近接移動によって電気的に結合し、離れることによって電気的に断たれる線条体を有してなることを特徴とする基板検査装置。
 【請求項３】　請求項１又は請求項２に記載の基板検査装置であって、
　前記フィクスチャー部が、奥側支持による片持ち支持であることを特徴とする基板検査装置。」
　
２．刊行物
（１）実願平５−１５２１０号（実開平６−６９８６３号）のＣＤ−ＲＯＭ（以下、刊行物１という。）には、
「　【０００６】
　【実施例】
　以下、本考案の実施例について図面を参照して説明する。
　図１は本考案のインサーキットテスタの一実施例を示す分解斜視図である。
　このインサーキットテスタは、駆動部本体１と、この駆動部本体１に脱着可能なピンボード２と、駆動部本体１に脱着可能で、部品を搭載しはんだ付けが終了したプリント基板（図示せず）をピンボード２上に位置決め固定するプリント基板押え３とから概略構成されている。
　　【０００７】
　駆動部本体１は、図２、図３に示すように、矩形状のベースプレート４を有しており、このベースプレート４の左右両側部には、前後に離隔して立設した所要高さのポスト５介して前後方向へ互いに平行かつ水平に延在する１対のピンボードガイドレール６が設けられている。
（中略）
　更に、ベースプレート４の後側中央部には、プラグ支持プレート１２が立設されており、このプラグ支持プレート１２には、後述するようにピンボード２のソケットと相俟ってコネクタ１３を構成するフロートブッシング付プラグ１４が取り付けられている。又、ベースプレート４の後側中央部には、ソケット支持プレート１５が上記プラグ支持プレート１２の後側に適宜に離隔して立設されており、このソケット支持プレート１５には、電源のメータやＣＲＴ等のプラグ（共に図示せず）が脱着される第１ソケット１６及び各種の測定機器のプラグ（共に図示せず）が脱着される第２ソケット１７が取り付けられている。そして、プラグ１４と第１、第２ソケット１６、１７とは、図示しないワイヤーを介して接続されている。
　　【０００８】
　前記ピンボード２は、図４に示すように、前記両ピンボードガイドレール６に跨がって摺動可能なベースボード１８を有しており、このベースボード１８には、検査するプリント基板と対応する多数のコンタクトピン１９が植設されていると共に、プリント基板及びプリント基板押え３の位置決めをするための位置決め穴２０が対角線上の角部に設けられている。そして、ベースボード１８の下部 には、コンタクトピン１９等を保護するための両側方へ開放された側面視Ｕ字状のカバー２１が取り付けられている。カバー２１の後部には、ピンボード２の駆動部本体１への脱着によって前記コネクタ１３の一部を構成するプラグ１４と脱着されるソケット２２が取り付けられており、このソケット２２と各コンタクトピン１９とは、図示しないワイヤーを介して接続されている。                
（中略）
　　【００１０】
　上記構成のインサーキットテスタにおいてプリント基板の機種切替えの際は、先ず、図１に示すように、押え板ガイドレール１０をこれに装着されたプリント基板押え３と共に上昇した後、従来のピンボード２を駆動部本体１から離脱させる。このピンボード２の離脱に伴ってコネクタ１３のプラグ１４とソケット２２とが離脱され、ピンボード２と電源メータや各種測定機器との接続が遮断される。
　ついで、切替えプリント基板と対応する別のピンボード２をピンボードガイドレール６に案内させて駆動部本体１に装着すると、コネクタ１３のプラグ１４とソケット２２とが嵌着されてピンボード２と電源メータや各種測定機器との接続が自動的に行われる。
　そして、ピンボード２上に検査するプリント基板を載せ、プリント基板押え３を下降させてプリント基板の位置決め固定を行うと、プリント基板のオープン／ショート、受動素-子の定数、ダイオードのチェック等が可能となる。
　　【００１１】
　【考案の効果】
　以上説明したように、本考案のインサーキットテスタによれば、プリント基板の機種切替えの際、このプリント基板と対応するピンボードの駆動部本体への脱着によってコネクタのソケットとプラグが脱着されて、テスタと電源メータや各種測定機器との遮断、接続がワンタッチで行われるので、従来に比べてプリント基板の機種切替えの際におけるコネクタの脱着工数を大幅に削減することができる。
　又、駆動部本体の後部に、プラグと接続された複数のソケットを備えることにより、測定機器の変更を容易に行うことが可能となる。」、
と記載されている。
　
（２）特開昭６３−１１７６０９号公報（以下、刊行物２という。）には、
「第４図は従来のこの種のガス絶縁開閉装置の架台部分を概略的に示したもので、同図において１は架台を兼ねる箱体、‥‥‥箱体１内には、容器２内に収納された開閉器、例えば遮断器の操作器３、容器２内の機器からの配線を中継する端子盤４、５、補助リレー６、容器２内のガス圧を監視するガス圧監視用の電気スイッチ、監視制御のための模擬母線、表示灯、故障表示器等を備えた監視盤７等の電装品が収納されている。」（第１頁右下欄第４行〜第１７行）、
と記載されている。
　
（３）実願昭５７−６７５１３号（実開昭５８−１７０８８６号）のマイクロフィルム（以下、刊行物３という。）には、
「通信機器の回路は、架枠への取付けの便のためユニット構造とされることが多い。」（第２頁第２行〜第３行）、
と記載されている。
　
（４）実願昭６０−１７５０９１号（実開昭６２−８３９７４号）のマイクロフィルム（以下、刊行物４という。）には、
「従来は第４図の従来の構成図に示すように構成されていた。
　第４図に示すように、テーブル２に固着された第１のプレート３にはガイドピ ン１１とコンタクト１７とプローブピン５Ｂとが設けられ、ガイドピン１１に挿入されたプリント基板１はスプリング２１によって支持された台座２０により保持され、同様にガイドピン１１に挿入された第２のプレート４はスプリング１９によって支持されたパッキング１８により保持されるように構成されている。
　また、第２のプレート４にはコンタクトピン１６とプローブピン５Ａとが設けられている。
（中略）
　‥‥‥このスライドによってプリント基板１に実装された抵抗２Ｂなどのスルホールに半田付けされた電子部品の端子片はプローブピン５Ｂに圧接され、半導体素子２Ａなどのランドに半田付けされた電子部品のフラットリード端子はプローブピン５Ａに圧接され、更に、コンタクトピン１６とコンタクト１７とが圧接され、端子板２３を介してそれぞれの端子と測定器６とが電気導通を得るよう接続されることができる。
　したがって、測定器６に所定の信号を入出力することで試験が行われる。」（第５頁第２行〜第６頁第１４行）、
と記載されている。
　
（５）特開昭５５−１４８４９６号公報（以下、刊行物５という。）には、
「第４図乃至第６図は、自動部品試験装置の構成説明図である。
（中略）
　‥‥‥この第１、第２の案内シャフト１８、１９には、水平方向へ延在される上段アームテーブル２０が取付けられている。‥‥‥これによってアームテーブル２０は水平に支持されている。
（中略）
　上記第１、第２の案内シャフト１８、１９には、上記上段アームテーブル２０と略同様な下段アームテーブル３１が同様な方法で取付けられている。この下段アームテーブル３１も、そのアーム３３、３４間には、取付ねじ具３５、３６を利用して透明な合成樹脂板からなる接触ピン用パレット３７が配設される。この接触ピン用パレット３７にも複数の透孔が設けられており、所望の孔に部品点検を行うための接触ピン３８をねじ等で取付け上面方向へ突出させることができる。
（中略）
　‥‥‥接触ピンを所望の部品の半田付部端子に接触させる。‥‥‥そして、接触ピン３８が端子に接触した状態で、自動的に各部品の検査がなされる。」（第４頁左上欄第１９行〜第５頁左下欄第１行）、
と記載されている。
　
（６）特開平５−２９７０６９号公報（以下、刊行物６という。）には、
「この電子回路の検査装置は、基板押さえ機構を構成する基板押さえ板３を有している。この基板押さえ板３は、上記電子回路基板１と略々同様の大きさを有する平板状に構成され、‥‥‥この基板押さえ板３は、図３及び図４に示すように、後端側部分をガイドシャフト３ｇを介して支持され、上記コンベア装置２上に載置される電子回路基板１の上面部に対し略々平行に相対向するように水平となされている。この基板押さえ板３は、上記ガイドシャフト３ｇに沿って、上記コンベア装置２に対する接離方向である上下方向に移動可能となされている。」（段落【００２８】）、
と記載されている。
　
３．対比・判断
（１）請求項１に係る発明について
　請求項１に係る発明と刊行物１に記載された発明とを比較すると、刊行物１に記載された発明における「ピンボード２」は、請求項１に係る発明のフィクスチャー部に対応し、また、刊行物１に記載された発明はインサーキットテスタ（基板検査装置）であるから、計測器等から成る各種のテスト部が設けられている。
　してみると、両者は、
「プリント基板などの被試験体を装着すると共に該被試験体に正確に信号を注入して回路動作条件を構築するためのフィクスチャー部と、被試験体からの回路動作結果を接続部材を介して出力する各種のテスト部とから構成されてなる基板検査装置であって、
　接続部材が前記フィクスチャー部に対向する位置に配設されていることを特徴とする基板検査装置。」である点で一致し、
　請求項１に係る発明においては、各種のテスト部がケース内に一括して収納され、当該ケースに接続部材が配設されているのに対して、刊行物１に記載された発明においては、各種のテスト部がケース内に一括して収納されておらず、また、接続部材がケースに配設されていない点、において相違している。
　
　上記相違点について検討する。
　刊行物２、３には、複数の部品を一括してケース内に収納することが記載されており、刊行物１に記載された発明における各種のテスト部は複数の部品からなっているから、当該各種のテスト部を一括してケース内に収納可能とすることは、当業者であれば容易に想到し得ることである。また、接続部材はフィクスチャー部と各種のテスト部を接続するために設けられているから、各種のテスト部が一括してケースに収納された場合、接続部材を当該ケースに配設すればよいことは、当業者であれば容易に想到し得ることである。
　
（２）請求項２に係る発明について
　請求項２に記載されたフィクスチャー部の構成は、審判請求人も審判請求理由補充書第６頁において認めているように、刊行物４に記載されており、刊行物１に記載された発明において当該構成を採用することは、当業者が容易に想到し得ることである。
　
（３）請求項３に係る発明について
　刊行物５、６には、フィクスチャー部を奥側支持による片持ち支持することが記載されており、刊行物１に記載された発明においてフィクスチャー部を奥側支持による片持ち支持にすることは、当業者が容易に想到し得ることである。
　
４．むすび
　従って、
（１）請求項１に係る発明は、刊行物１乃至３に記載された発明に基づいて当業者が容易に発明をすることができたものであるから、特許法第２９条第２項の規定により、特許を受けることができない。
（２）請求項２に係る発明は、刊行物１乃至４に記載された発明に基づいて当業者が容易に発明をすることができたものであるから、特許法第２９条第２項の規定により、特許を受けることができない。
（３）請求項３に係る発明は、刊行物１乃至６に記載された発明に基づいて当業者が容易に発明をすることができたものであるので、特許法第２９条第２項の規定により、特許を受けることができない。
−−−−−−−−−−−−−−−−−−−−−−−−−−−−−−−−−−
　
３．そして、上記の拒絶理由は妥当なものと認められるので、本願は、この拒絶理由によって拒絶すべきものである。
　よって、結論のとおり審決する。